(57)【要約】【課題】  構造が簡単でありながらコケに対して効果的に給水することができ、また、施工に際し、特段の水分補給系を形成させるといった手間を必要とせず、容易に施工することができるコケ緑化用コンクリート体の提供。【解決手段】  上面にコケ植生用マット２を敷設させる緑化対象コンクリート面１１が形成され、この緑化対象コンクリート面の領域内に雨水貯水穴３が形成され、前記コケ植生用マットを緑化対象コンクリート面に敷設した状態で、前記雨水貯水穴がコケ植生用マットによって覆われるように形成されている。【選択図】  図１
2008048645.tif 000002
【特許請求の範囲】
【請求項１】
上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されているコケ緑化用コンクリート体。
【請求項２】
請求項１記載の緑化用コンクリート体において、コケ緑化用コンクリート体がコンクリート縁石ブロックであって、このコンクリート縁石ブロックの上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されている緑化用コンクリート体。
【請求項３】
請求項２記載の緑化用コンクリート体において、コンクリート縁石ブロックの上面にコケ植生用マットを嵌め込むための凹部が形成され、この凹部の底面がコケ植生用マットを敷設させる緑化対象コンクリート面に形成され、この緑化対象コンクリート面の領域内に雨水貯水穴が形成され、前記コケ植生用マットを凹部に嵌め込んで緑化対象コンクリート面に敷設した状態で、前記雨水貯水穴がコケ植生用マットによって覆われるように形成されている緑化用コンクリート体。
【請求項４】
請求項３記載の緑化用コンクリート体において、凹部からコンクリート縁石ブロックの外部に貫通する排水孔が形成されている緑化用コンクリート体。
【請求項５】
請求項１記載のコケ緑化用コンクリート体において、コケ緑化用コンクリート体が道路中央分離コンクリート体であって、この道路中央分離コンクリート体の上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されているコケ緑化用コンクリート体。
【請求項６】
コンクリート体の上面がコケによって緑化されたコンクリート体のコケ緑化構造であって、
コンクリート体の上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されているコンクリート体のコケ緑化構造。
【請求項７】
請求項６記載のコケ緑化構造において、コケ緑化用コンクリート体が既設コンクリート縁石ブロックであって、この既設コンクリート縁石ブロックの上面に内部に開口部が形成されたコンクリート枠部材が重合設置され、このコンクリート枠部材の開口部と既設コンクリート縁石ブロックの上面とで凹部が形成されると共に、この凹部の底面となる既設コンクリート縁石ブロックの上面がコケ植生用マットを敷設させる緑化対象コンクリート面に形成され、この緑化対象コンクリート面の領域内において既設コンクリート縁石ブロックの上面に雨水貯水穴が形成され、前記コケ植生用マットを凹部に嵌め込んで緑化対象コンクリート面に敷設した状態で、前記雨水貯水穴がコケ植生用マットによって覆われるように形成されているコンクリート体のコケ緑化構造。
【請求項８】
請求項７記載のコンクリート体のコケ緑化構造において、コンクリート枠部材に凹部からコンクリート枠部材の外部に貫通する排水孔が形成されているコンクリート体のコケ緑化構造。
【発明の詳細な説明】
【技術分野】
【０００１】
本発明は、上面をコケによって緑化させるのに用いるコケ緑化用コンクリート体及びコンクリート体のコケ緑化構造に関する。
【背景技術】
【０００２】
都市圏におけるヒートアイランド現象の対策として、従来、コンクリート体としてのコンクリート縁石の上面をコケ等によって緑化するようにした技術が提案されている（特許文献１参照）。
【０００３】
このコンクリート縁石の緑化技術は、上面に蘚苔類や草木類を植生する植生用の凹部を形成し、この凹部の底面には土壌中に埋設された保水性良好の材料から成る第１の保水体に連通する透水パイプを設けると共にこの凹部を形成する壁面に保水性良好の材料から成る第２の保水体を配設した構造になっていた。
【０００４】
このように、従来のコンクリート縁石は、緑化植物に対する水分補給手段として、コンクリート縁石の下方の地中に設けた保水体から透水パイプを利用して水分を吸水させるようになっている。
【０００５】
このため、コンクリート縁石に形成した凹部の底面から透水パイプを下方に延長させて取り付け、この透水パイプを土壌中に埋設させた保水体に連通させるといった水分補給系を形成する必要があるなど、その構造が複雑になるし、施工に多大の手間がかかるという問題があった。
【特許文献１】特開２００２−２１２９１１号公報
【発明の開示】
【発明が解決しようとする課題】
【０００６】
本発明は、上記のような問題を解決するためになされたもので、構造が簡単でありながらコケに対して効果的に給水することができ、また、施工に際し、特段の水分補給系を形成させるといった手間を必要とせず、容易に施工することができるコケ緑化用コンクリート体及びコンクリート体のコケ緑化構造を提供することを課題としている。
【課題を解決するための手段】
【０００７】
上記の課題を解決するために、本発明のコケ緑化用コンクリート体（請求項１）は、
上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されている構成とした。
【０００８】
なお、本発明でいうコケとは、スナゴケ、ハイゴケ、スギゴケ、その他のコケ類を含む。
【０００９】
本発明のコケ緑化用コンクリート体（請求項２）は、
請求項１記載の緑化用コンクリート体において、コケ緑化用コンクリート体がコンクリート縁石ブロック（コンクリート２次製品）であって、このコンクリート縁石ブロックの上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されている構成とした。
【００１０】
本発明のコケ緑化用コンクリート体（請求項３）は、
請求項２記載の緑化用コンクリート体において、コンクリート縁石ブロックの上面にコケ植生用マットを嵌め込むための凹部が形成され、この凹部の底面がコケ植生用マットを敷設させる緑化対象コンクリート面に形成され、この緑化対象コンクリート面の領域内に雨水貯水穴が形成され、前記コケ植生用マットを凹部に嵌め込んで緑化対象コンクリート面に敷設した状態で、前記雨水貯水穴がコケ植生用マットによって覆われるように形成されている構成とした。
【００１１】
本発明のコケ緑化用コンクリート体（請求項４）は、
請求項３記載の緑化用コンクリート体において、凹部からコンクリート縁石ブロックの外部に貫通する排水孔が形成されている構成とした。
【００１２】
本発明のコケ緑化用コンクリート体（請求項５）は、
請求項１記載のコケ緑化用コンクリート体において、コケ緑化用コンクリート体が道路中央分離コンクリート体（現場打ちコンクリート体）であって、この道路中央分離コンクリート体の上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されている構成とした。
【００１３】
本発明のコンクリート体のコケ緑化構造（請求項６）は、
コンクリート体の上面がコケによって緑化されたコンクリート体のコケ緑化構造であって、
コンクリート体の上面にコケ植生用マットを敷設させる緑化対象コンクリート面が形成され、この緑化対象コンクリート面の領域内に雨水貯水穴が形成され、前記コケ植生用マットを緑化対象コンクリート面に敷設した状態で、前記雨水貯水穴がコケ植生用マットによって覆われるように形成されている構成とした。
【００１４】
本発明のコンクリート体のコケ緑化構造（請求項７）は、
請求項６記載のコケ緑化構造において、コケ緑化用コンクリート体が既設コンクリート縁石ブロックであって、この既設コンクリート縁石ブロックの上面に内部に開口部が形成されたコンクリート枠部材が重合設置され、このコンクリート枠部材の開口部と既設コンクリート縁石ブロックの上面とで凹部が形成されると共に、この凹部の底面となる既設コンクリート縁石ブロックの上面がコケ植生用マットを敷設させる緑化対象コンクリート面に形成され、この緑化対象コンクリート面の領域内において既設コンクリート縁石ブロックの上面に雨水貯水穴が形成され、前記コケ植生用マットを凹部に嵌め込んで緑化対象コンクリート面に敷設した状態で、前記雨水貯水穴がコケ植生用マットによって覆われるように形成されている構成とした。
【００１５】
本発明のコンクリート体のコケ緑化構造（請求項８）は、
請求項７記載のコンクリート体のコケ緑化構造において、コンクリート枠部材に凹部からコンクリート枠部材の外部に貫通する排水孔が形成されている構成とした。
【発明の効果】
【００１６】
本発明（請求項１、６）では、コンクリート体としてのコンクリート縁石ブロック（請求項２）や道路中央分離コンクリート体（請求項５）の上面に形成した緑化対象コンクリート面を、コケ植生用マットによって緑化することができる。
【００１７】
そして、このコケ植生用マットの下には雨水貯水穴が形成され、この雨水貯水穴に溜まった雨水が蒸発することから、コケの生育に適したジメジメした湿気の多い環境下にコケ植生用マットを敷設することができる。
特に、雨水貯水穴がコンクリート体自身に形成され、この雨水貯水穴から蒸発した水分をコケ植生用マットが直接に吸水する構造であるため、特段の水分補給系を形成する必要がなく、構造が簡単になるし、施工が容易になる。
【００１８】
又、コンクリート体をコンクリート縁石ブロックとした場合において、コンクリート縁石ブロックの上面に凹部を形成して、その底面を緑化対象コンクリート面に形成させると（請求項３）、コケ植生用マットを凹部に嵌め込むだけで緑化対象コンクリート面に収まり良く敷設することができる。
【００１９】
又、凹部からコンクリート縁石ブロックの外部に貫通する排水孔を形成すると（請求項４）、雨水貯水穴から溢れて凹部に溜まった余分な水を排水することができ、コケが水に浸り、コケが腐るといった育成不良が生じるのを防止できる。
【００２０】
又、コンクリート体を既設コンクリート縁石ブロックとした場合（請求項７）、この既設コンクリート縁石ブロックの上にコンクリート枠部材を重合設置することで、コケ植生用マットを収まり良く敷設することができる。
この場合においても雨水貯水穴に溜まった雨水の蒸発によって、コケの生育に適したジメジメした湿気の多い環境下にコケ植生用マットを敷設することができる。
又、雨水貯水穴から溢れて凹部に溜まった余分な水を排水孔によって排水することができる（請求項８）。
【発明を実施するための最良の形態】
【００２１】
図１は本発明のコケ緑化用コンクリート体の第１実施例を示す分解斜視図、図２はその断面図である。
この第１実施例は、コケ緑化用コンクリート体をコンクリート縁石ブロック１ａとした例で、このコンクリート縁石ブロック１ａは車道と歩道との境界に敷設される歩車道境界ブロックであり、工場で製造されたコンクリート２次製品である。
【００２２】
前記コンクリート縁石ブロック１ａの上面には、コケ植生用マット２を嵌め込むための凹部１０が形成され、この凹部１０の底面がコケ植生用マット２を敷設させるための緑化対象コンクリート面１１に形成されている。
そして、この緑化対象コンクリート面１１の領域内に３個の雨水貯水穴３が形成され、前記コケ植生用マット２を凹部１０内に嵌め込んで緑化対象コンクリート面１１に敷設した状態で、前記雨水貯水穴３がコケ植生用マット２によって覆われるように形成されている。
【００２３】
前記コケ植生用マット２は前記凹部１０に嵌め込まれた状態で緑化対象コンクリート面１１に敷設されるもので、このように凹部１０が形成されていると、ここに水が溜まってコケが水に浸り、コケが腐るという育成不良が生じるため、凹部１０に溜まった余分な水を排水する必要がある。
そこで、凹部１０からコンクリート縁石ブロック１ａの外部に貫通する排水孔１２を形成し、ここから凹部１０に溜まった余分な水を排水するようにしている。
【００２４】
前記雨水貯水穴３は、コンクリート縁石ブロック１ａの製造時に下穴３０を形成させ、この下穴３０内にプラスチックや金属により形成されたフランジ付きの不透水カップ３１を上から着脱可能に嵌め込むことで形成されている。
コンクリートは吸水性を有するため、コンクリート縁石ブロック１ａに有底穴を形成しただけでは、溜まった雨水がしみ出てしまい、雨水の貯水ができない。
そこで、不透水カップ３１を用いることで雨水のしみ出しを防止して確実に貯水させることができるし、着脱可能に形成することで不透水カップ３１に溜まった土砂の除去作業等、メンテナンスを容易にすることができる。
【００２５】
なお、雨水貯水穴３としては、例えば、図３に示すようにコンクリート縁石ブロック１ａ（コケ緑化用コンクリート体）の製造に際し、不透水カップ３２を埋め殺しすることで形成してもよいし、又、図４に示すように有底穴３３を形成し、この有底穴３３の内面に防水塗料３４を塗布するなどの防水処理を施こすことで形成してもよい。
又、雨水貯水穴３の開口径が大径になると、この上を覆うように敷設されるコケ植生用マット２に沈み込みが生じることがあるため、雨水貯水穴３（不透水カップ３１）の開口部に桟木３５や網体を取り付けて、コケ植生用マット２の沈み込みを支えるようにしている。
【００２６】
前記コケ植生用マット２としては、例えば、厚み内に空隙が形成された立体編物をコケ植生部材とし、この立体編物の裏面に保水性シート部材（例えば、不織布マット）や保水性パネル部材（コンクリートパネル）が取り付けられたものを用いることができる。
【００２７】
保水性シート部材は、水分を吸水して保水できるシートであって、不織布、織布、編布、植物繊維シート等を単独或いは組み合わせて用いることができる。
このほか、保水性シート部材には、保水材としての綿、ヘチマ繊維、ヤシ繊維、パルプかす、ガラスウール、ロックウール、その他の植物繊維、熱可塑性樹脂製糸条（例えば、モスネット協会製作、商標：モスフラット）、布（織布、不織布繊維）、保水性骨材、保水性発泡体、合成繊維綿マット、繊維ボード、繊維球状体等を単独、或いは積層したり組み合わせたりしてシート状やマット状に形成したものを含むものとする。
また、保水性シート部材の保水とは、材料自体が水を吸水して保水する場合と、材料自体に吸水性がなくても材料同士の隙間に水を吸水して保水する場合を含む。
なお、このような保水性シート部材をそのままコケ植生用マットとして用いることも可能である。
【００２８】
又、保水性パネル部材は、水分を吸水して保水できるパネル（板状体）であって、モルタルパネルやコンクリートパネルや発泡セメントパネル等のセメント系パネル、透水性合成樹脂パネル、透水性合成樹脂と骨材を混ぜ合わせて形成したパネル、セメント系ポーラスパネル、樹脂系ポーラスパネル等を用いることができる。
尚、前記コンクリートパネルやモルタルパネルは保水作用を有するもので、このコンクリートパネルやモルタルパネルについても保水性パネル部材に含めるものとする。
また、保水性パネル部材の保水とは、材料自体が水を吸水して保水する場合と、材料自体に吸水性がなくても材料同士の隙間に水を吸水して保水する場合を含む。
【００２９】
又、コケ植生部材としての立体編物には、多数の網目開口部を形成するように樹脂繊維を用いて編成した表裏二枚の網状編成部と、この表裏二枚の網状編成部を厚み方向に連結させる連結繊維列を備え、前記連結繊維列により囲まれた空隙が表裏の網目開口部間に開口して形成されたハニカム状立体編物を用いることができる。
【００３０】
又、他の立体編物として、繊維同士の間に空隙を形成させるように樹脂繊維を自在に屈曲させて一定の厚みに形成したワイヤメッシュ状立体繊維体を用いることができる。
【００３１】
又、前記立体編物の空隙に保水材を設けることができる。
保水材としては、綿、ヘチマ繊維、ヤシ繊維、パルプかす、その他の植物繊維、熱可塑性樹脂製糸条（例えば、モスネット協会製作、商標：モスフラット）、布（織布、不織布繊維）、ロックウール、ガラスウール、保水性骨材、保水性発泡体、合成繊維綿マット、繊維ボード、繊維球状体等が用いられ、これらを単独、あるいは組み合わせて使用できる。
この場合、コケが定着し易いように、綿や不織布等の繊維材で保水性骨材を包んで用いるようにすることができる。
なお、保水性骨材としては、パミス（大江化学社製商品）、ゼオライト、珪藻土、軽石、パーライト等の多孔性骨材を、粒状のまま、あるいはセメントや接着剤で固めて使用することができる。
【００３２】
また、前記保水材は、立体編物を保水性シート部材又は保水性パネル部材に取り付ける前に空隙に詰め込んでもよいし、取り付けた後に空隙に詰め込んでもよい。
【００３３】
この第１実施例では、コケ植生用マット２として、ハニカム状立体編物２０をコケ植生部材とし、このハニカム状立体編物２０の裏面に保水性シート部材としての不織布マット２１が取り付けられ、かつ前記ハニカム状立体編物２０の空隙に保水材としての綿（図示省略）が詰め込まれたものを用いている。
そして、コケ植生用マット２の上面に露出するように、緑化植物としてのコケ２５が前記保水材としての綿の上に植え付けられている。
このようにコケを立体編物の空隙内に植生させるため、コケが立体編物の繊維に絡まり、また立体編物の樹脂繊維が防風林の如くコケを保護する状態になるため、風雨等によってコケが脱落するといったことがなく、コケの植生を長期に亘って確実に維持させることができる。
【００３４】
なお、施工手順としては、工場で製造されたコンクリート２次製品としてのコンクリート縁石ブロック１ａを通常の施工法に従って敷設させ、その後、下穴３０内にプラスチック製の不透水カップ３１を上から着脱可能に嵌め込むことで雨水貯水穴３を形成させる。
次に、コケ２５を植え付けたコケ植生用マット２を、コンクリート縁石ブロック１ａの上面に形成した凹部１０に嵌め込んで緑化対象コンクリート面１１に敷設するものである。
なお、天候等の条件によっては、施工時に雨水貯水穴３内に人工的に給水して貯水させるようにしてもよい。
【００３５】
図５は本発明のコケ緑化用コンクリート体の第２実施例を示す断面図である。
この第２実施例は、コケ緑化用コンクリート体をコンクリート縁石ブロックとした例で、このコンクリート縁石ブロックは車道の路肩に敷設されるＬ形側溝ブロック１ｂであり、底板部１５と縁石部１６で形成され、工場で製造されたコンクリート２次製品である。
【００３６】
この場合、縁石部１６の上面に凹部１０が形成され、この凹部１０の底面がコケ植生用マット２を敷設させるための緑化対象コンクリート面１１に形成され、そして、この緑化対象コンクリート面１１の領域内に雨水貯水穴３が形成され、前記コケ植生用マット２を凹部１０内に嵌め込んで緑化対象コンクリート面１１に敷設した状態で、前記雨水貯水穴３がコケ植生用マット２によって覆われるように形成されている構成は前記第１実施例と同様である。
【００３７】
又、コケ植生用マット２として、ハニカム状立体編物２０をコケ植生部材とし、このハニカム状立体編物２０の裏面に保水性パネル部材としてのコンクリートパネル２２が取り付けられ、かつ前記ハニカム状立体編物の空隙に保水材としての綿が詰め込まれたものを用いている。
【００３８】
この場合、前記ハニカム状立体編物２０は、その厚みの半分程度がコンクリートパネル２２中に埋設されることで、コンクリートパネル２２に取り付けられている。
即ち、コンクリートパネル２２を成形するための平型枠に生コンクリートを投入し、この生コンクリートが固化しない内にハニカム状立体編物２０の厚みの半分程度を沈めて生コンクリートを固化させることによりコケ植生用マット２を製造するようにしている。
このように、立体編物の厚みの半分程度をコンクリートパネル中に埋設させると、このコンクリートパネルが立体編物の繊維によって補強され、コンクリートパネルの強度を向上させることができる。
【００３９】
図６は本発明のコケ緑化用コンクリート体の第３実施例を示す断面図である。
この第３実施例は、コケ緑化用コンクリート体を道路中央分離コンクリート体１ｃとした例で、この道路中央分離コンクリート体１ｃは、両側縁に縁石ブロック１７，１７が敷設され、この縁石ブロック１７，１７の間にコンクリート部１８を現場打ちにより打設して形成されている。
【００４０】
緑化対象コンクリート面１１は、前記コンクリート部１８の上面全面から両縁石ブロック１７，１７の上面にかけて形成され、かつ前記コンクリート部１８の上面に一定の間隔で雨水貯水穴３が形成され、前記コケ植生用マット２を緑化対象コンクリート面１１に敷設した状態で、前記雨水貯水穴３がコケ植生用マット２によって覆われるように形成されている。
なお、前記雨水貯水穴３は、道路中央分離コンクリート体１ｃが既設のものである場合にはコンクリート部１８の上面に後加工で穿設し、新規のものである場合にはコンクリート部１８を打設する際に同時に形成することになる。
又、この道路中央分離コンクリート体１ｃでは、前記第１実施例とは異なり、上面に凹部が形成されず、上面にそのまま緑化対象コンクリート面１１が形成され、この緑化対象コンクリート面１１に適宜の固定手段（例えば、固定金具等）によってコケ植生用マット２が取り付けられている。
【００４１】
図７は本発明のコンクリート体のコケ緑化構造の実施例を示す斜視図である。
このコケ緑化構造は、コケ緑化用コンクリート体を既設コンクリート縁石ブロック１ｄとした例であり、コンクリート枠部材４との組み合わせによって形成されている。
【００４２】
前記コンクリート枠部材４は、その底面が既設コンクリート縁石ブロック１ｄの上面に符合するように形成され、その内部に開口部４０が形成されている。
このコンクリート枠部材４は工場で製造されたコンクリート２次製品であり、現場において既設コンクリート縁石ブロック１ｄの上面に接着剤（例えば、モルタル）によって重合設置される。
このコンクリート枠部材４の重合設置に伴いコンクリート枠部材４の開口部４０と既設コンクリート縁石ブロック１ｄの上面とで凹部１０が形成されると共に、この凹部１０の底面となる既設コンクリート縁石ブロック１ｄの上面がコケ植生用マット２を敷設させる緑化対象コンクリート面１１に形成される。
【００４３】
そして、前記緑化対象コンクリート面１１の領域内において既設コンクリート縁石ブロック１ｄの上面に雨水貯水穴３を現場加工で形成するもので、この雨水貯水穴３が前記コケ植生用マット２を凹部１０に嵌め込んで緑化対象コンクリート面１１に敷設した状態でコケ植生用マット２により覆われるように形成されている。
【００４４】
又、前記コンクリート枠部材４には、凹部１０からコンクリート枠部材４の外部に貫通する排水孔４１が形成されている。
【００４５】
このように、コンクリート枠部材を組み合わせることにより、既設コンクリート縁石ブロックをコケ緑化用コンクリート体として用いることができるし、コケ植生用マットを収まりよく敷設することができる。
【００４６】
本発明において、コケ緑化用コンクリート体としては、実施例で示したコンクリート縁石ブロック（歩車道境界ブロック、Ｌ形側溝ブロック）、道路中央分離コンクリート体以外に、家屋周りの犬走り、コンクリート土間、ブロック塀の天端等、建築物や土木構築物のコンクリート平面部を対象とすることができる。
【００４７】
又、通常は、雨水貯水穴の孔径は１０〜２０ｃｍ、深さは１０〜２０ｃｍ、配設ピッチは３０から５０ｃｍ程度としているが、これに限定されるものではなく、その形状は円形でも角形でもよいし、その深さや配設個数や配設ピッチ等についてもコンクリート体のサイズ、形状、構造等に応じて適宜に決定できる。
【図面の簡単な説明】
【００４８】
【図１】本発明のコケ緑化用コンクリート体の第１実施例を示す分解斜視図である。
【図２】そのコケ緑化用コンクリート体の断面図である。
【図３】雨水貯水穴の他例を示す断面図である。
【図４】雨水貯水穴の他例を示す断面図である。
【図５】本発明のコケ緑化用コンクリート体の第２実施例を示す分解斜視図である。
【図６】本発明のコケ緑化用コンクリート体の第３実施例を示す断面図である。
【図７】本発明のコンクリート体のコケ緑化構造の実施例を示す斜視図である。
【符号の説明】
【００４９】
１ａ  コンクリート縁石ブロック（コケ緑化用コンクリート体）
１ｂ  Ｌ形側溝ブロック（コケ緑化用コンクリート体）
１ｃ  道路中央分離コンクリート体（コケ緑化用コンクリート体）
１ｄ  既設コンクリート縁石ブロック
１０  凹部
１１  緑化対象コンクリート面
１２  排水孔
１５  底板部
１６  縁石部
１７  縁石ブロック
１８  コンクリート部
２  コケ植生用マット
２０  ハニカム状立体編物
２１  不織布マット
２２  コンクリートパネル
２５  コケ
３  雨水貯水穴
３０  下穴
３１  不透水カップ
３２  不透水カップ
３３  有底穴
３４  防水塗料
３５  桟木
４  コンクリート枠部材
４０  開口部
４１  排水孔
【図１】
2008048645.tif 000003
【図２】
2008048645.tif 000004
【図３】
2008048645.tif 000005
【図４】
2008048645.tif 000006
【図５】
2008048645.tif 000007
【図６】
2008048645.tif 000008
【図７】
2008048645.tif 000009